(57)【特許請求の範囲】
【請求項１】
複数の色材を用いて色再現する画像形成装置における色材の量を抑制する色材抑制モードを設定する設定手段と、
所定の装置に依存した第１の色空間で表された入力色情報を入力する色情報入力手段と、
前記色情報入力手段によって入力された前記入力色情報を、装置に依存しない第２の色空間で表された第１の色情報に変換する第１の色空間変換手段と、
前記複数の色材各々に対応する各色要素の組み合わせを示す第３の色空間における、任意の最大階調制限値、及び前記第３の色空間の各色要素の総和を制限する総量制限値を指定する制限値設定手段と、
前記画像形成装置による画像形成により色再現可能な前記第２の色空間の色域の外郭位置を、前記制限値設定手段によって指定された前記最大階調制限値及び前記総量階調制限値に基づいて狭小化させた色材抑制領域を生成する生成手段と、
前記設定手段によって、前記色材抑制モードが設定されているとき、前記第２の色空間において前記所定の装置によって色再現可能な領域を含む入力領域内の色と、前記生成手段に生成された色材抑制領域内の色との対応関係が予め定められたものであり、
前記第１の色空間変換手段によって変換された第１の色情報を、前記対応関係に基づいて、前記色材抑制領域内で表された第２の色情報に変換する色変換手段と、
前記色変換手段によって変換された第２の色情報を、前記第３の色空間で表された出力色情報に変換する第２の色空間変換手段と
を含む画像処理装置。
【請求項２】
前記制限値設定手段は、前記最大階調制限値を色相角の領域毎に設定することを特徴とする請求項１の画像処理装置。
【請求項３】
前記狭小化させた色材抑制領域は、前記第２の色空間での通常の色域の外郭位置を特定点へ向けて移動させて狭小化させた色再現可能な領域である請求項１記載の画像処理装置。
【請求項４】
前記特定点は、前記画像形成装置による画像形成により色再現可能な前記第２の色空間の色域内であって、色相に応じて設定される請求項３記載の画像処理装置。
【請求項５】
前記狭小化させた色材抑制領域は、前記第２の色空間での通常の色域の各色相の最大彩度点を、該最大彩度点より明度が高い点であって、かつ、前記通常の色域内側の点へ向けて移動させて、前記通常の色域を狭小化させた色再現可能な領域である請求項１記載の画像処理装置。
【請求項６】
前記狭小化させた色材抑制領域は、前記第２の色空間での通常の色域と狭小化用領域との共通領域である請求項１記載の画像処理装置。
【請求項７】
前記狭小化用領域は、通常の色域を高明度方向、低彩度方向、及び高明度方向かつ低彩度方向の何れか一つにシフトさせた領域であることを特徴とする請求項６記載の画像処理装置。
【請求項８】
前記画像形成装置を更に含み、
前記画像形成装置は、前記第２の色空間変換手段によって変換された出力色情報に基づいて、前記複数の色材を用いて記録用紙に画像を形成する請求項１〜請求項７の何れか１項記載の画像処理装置。
【発明の詳細な説明】
【技術分野】
【０００１】
本発明は、画像処理装置及び画像処理方法に係り、特に、色材の消費量を抑えるモードを有する画像処理装置及び画像処理方法に関する。
【背景技術】
【０００２】
従来、プリンタなどの画像処理装置では、トナーなどの色材を用いて記録用紙に画像を形成している。
【０００３】
このトナーの消費量を抑えるために、トナーセーブモードなどが提供されており、ユーザは印刷コストを下げたい場合に利用している。このトナーの消費量を抑える技術として、γ変換テーブルで濃度を下げることによりトナー使用量を低減する画像出力装置（特許文献１）や、明度を増加させるプロファイル使用することでトナー使用量を低減するカラープリンタ装置（特許文献２）が知られている。
【０００４】
また、実質的に色相を変えずに彩度を下げることで、色再現性の低下を最小限に抑えて記録材の使用量を抑えるカラー画像処理装置が知られている（特許文献３）。
【特許文献１】特開平９−２４４４７５号公報
【特許文献２】特開２００３−６６７８１号公報
【特許文献３】特開２００５−８６２８９号公報
【発明の開示】
【発明が解決しようとする課題】
【０００５】
しかしながら、特許文献１に記載の画像出力装置では、中間色の色味の変化が発生し、再現画像全体も薄くなり、通常モードでの再現画像の色再現の印象と大きく変化してしまうため、通常の用途では利用できない、という問題がある。また、特許文献２に記載のカラープリンタ装置及び特許文献３に記載のカラー画像処理装置では、再現画像の印象として、薄くなってしまう、という問題がある。
【０００６】
本発明は、上記の問題点を解決するためになされたもので、色材の消費量を抑えると共に、画質の低下を抑制することができる画像処理装置及び画像処理方法を提供することを目的とする。
【課題を解決するための手段】
【０００７】
上記の目的を達成するために本発明に係る画像処理装置は、複数の色材を用いて色再現する画像形成装置における色材の量を抑制する色材抑制モードを設定する設定手段と、所定の装置に依存した第１の色空間で表された入力色情報を入力する色情報入力手段と、前記色情報入力手段によって入力された前記入力色情報を、装置に依存しない第２の色空間で表された第１の色情報に変換する第１の色空間変換手段と、前記複数の色材各々に対応する各色要素の組み合わせを示す第３の色空間における、任意の最大階調制限値、及び前記第３の色空間の各色要素の総和を制限する総量制限値を指定する制限値設定手段と、前記画像形成装置による画像形成により色再現可能な前記第２の色空間の色域の外郭位置を、前記制限値設定手段によって指定された前記最大階調制限値及び前記総量階調制限値に基づいて狭小化させた色材抑制領域を生成する生成手段と、前記設定手段によって、前記色材抑制モードが設定されているとき、前記第２の色空間において前記所定の装置によって色再現可能な領域を含む入力領域内の色と、前記生成手段に生成された色材抑制領域内の色との対応関係が予め定められたものであり、前記第１の色空間変換手段によって変換された第１の色情報を、前記対応関係に基づいて、前記色材抑制領域内で表された第２の色情報に変換する色変換手段と、前記色変換手段によって変換された第２の色情報を、前記第３の色空間で表された出力色情報に変換する第２の色空間変換手段とを含んで構成されている。
【０００８】
また、本発明に係る画像処理方法は、複数の色材を用いて色再現する画像形成装置における色材の量を抑制する色材抑制モードを設定し、所定の装置に依存した第１の色空間で表された入力色情報を入力し、前記入力された前記入力色情報を、装置に依存しない第２の色空間で表された第１の色情報に変換し、前記複数の色材各々に対応する各色要素の組み合わせを示す第３の色空間における、任意の最大階調制限値、及び前記第３の色空間の各色要素の総和を制限する総量制限値を指定し、前記画像形成装置による画像形成により色再現可能な前記第２の色空間の色域の外郭位置を、前記指定された前記最大階調制限値及び前記総量階調制限値に基づいて狭小化させた色材抑制領域を生成し、前記色材抑制モードが設定されているとき、前記第２の色空間において前記所定の装置によって色再現可能な領域を含む入力領域内の色と、前記生成手段に生成された色材抑制領域内の色との対応関係が予め定められたものであり、前記変換された第１の色情報を、前記対応関係に基づいて、前記色材抑制領域内で表された第２の色情報に変換し、前記変換された第２の色情報を、前記第３の色空間で表された出力色情報に変換することを特徴としている。
【０００９】
本発明によれば、画像形成装置における色材の量を抑制する色材抑制モードを設定する。そして、所定の装置に依存した第１の色空間で表された入力色情報を入力し、入力された入力色情報を、装置に依存しない第２の色空間で表された第１の色情報に変換する。また、複数の色材各々に対応する各色要素の組み合わせを示す第３の色空間における、任意の最大階調制限値、及び前記第３の色空間の各色要素の総和を制限する総量制限値を指定し、画像形成装置による画像形成により色再現可能な第２の色空間の色域の外郭位置を、指定された最大階調制限値及び総量階調制限値に基づいて狭小化させた色材抑制領域を生成する。色材抑制モードが設定されているとき、変換された第１の色情報を、予め定められた対応関係に基づいて、色材抑制領域内で表された第２の色情報に変換し、変換された第２の色情報を、前記第３の色空間で表された出力色情報に変換する。ここで、対応関係は、入力装置による色再現の印象と画像形成装置による色再現の印象とが大きく変化しないように予め定めておく。
【００１０】
そして、画像形成装置では、出力色情報に基づいて、色材を用いて色再現する。
【００１１】
従って、色材抑制モードにおいて、色情報を、色材の量が抑制されるように狭小化した色材抑制領域内で表現されるように変換するため、色材の消費量を抑えることができ、また、色材抑制領域内に収まるように定められた対応関係に基づいて、色情報を変換することにより、色材抑制モードにおいて、画質の低下を抑制することができる。
【００１５】
また、色材抑制モードが設定されているとき、色情報を、色材の量が抑制されるように狭小化させた色材抑制領域内で表現されるように色変換するため、色材の消費量を抑えることができ、また、装置に依存しない色空間における色再現領域を含む入力領域内の色と色材抑制領域内の色との対応関係に基づいた色変換により、色情報の色変換を行うことにより、色材抑制モードにおいて、画質の低下を抑制することができる。
上記の制限値設定手段は、最大階調制限値を色相角の領域毎に設定することができる。
【００３４】
また、狭小化させた色材抑制領域を、第２の色空間での通常の色域の外郭位置を特定点へ向けて移動させて狭小化させた色再現可能な領域とすることができる。
【００３５】
また、上記の特定点は、画像形成装置による画像形成により色再現可能な第２の色空間の色域内であって、特定点を、色相に応じて設定することができる。
【００３６】
また、狭小化させた色材抑制領域を、第２の色空間での通常の色域の各色相の最大彩度点を、最大彩度点より明度が高い点であって、かつ、通常の色域内側の点へ向けて移動させて、通常の色域を狭小化させた色再現可能な領域とすることができる。
【００３９】
また、狭小化させた色材抑制領域を、前記第２の色空間での通常の色域と狭小化用領域との共通領域とすることができる。また、狭小化用領域を、通常の色域を高明度方向、低彩度方向、及び高明度方向かつ低彩度方向の何れか一つにシフトさせた領域とすることができる。
【００４０】
また、本発明に係る画像処理装置は、画像形成装置を更に含み、画像形成装置は、第２の色空間変換手段によって変換された出力色情報に基づいて、複数の色材を用いて記録用紙に画像を形成することができる。これにより、色材抑制領域内に変換された出力色情報に基づいて、色材を用いて画像形成するため、画像形成装置における色材の消費量を抑えることができる。
【発明の効果】
【００４１】
以上説明したように、本発明の画像処理装置及び画像処理方法によれば、色材抑制モードが設定されているとき、色情報を、色材の量が抑制されるように狭小化した色材抑制領域内で表現されるように変換するため、色材の消費量を抑えることができ、また、色材抑制領域内に収まるように定められた対応関係に基づいて、色情報を変換することにより、色材抑制モードにおいて、画質の低下を抑制することができる、という効果が得られる。
【発明を実施するための最良の形態】
【００４２】
以下、本発明の実施の形態について図面を参照して説明する。なお、本実施の形態では、プリンタに本発明を適用した場合について説明する。
【００４３】
図１に示すように、本発明の第１の実施の形態に係る画像処理システム１０は、プリンタ１２と、クライアントＰＣ１４と、ＬＡＮ（ローカルエリアネットワーク）などのネットワーク１６とで構成され、プリンタ１２とクライアントＰＣ１４とはネットワーク１６を介して相互に接続されている。
【００４４】
また、プリンタ１２は、各種プログラムやパラメータ等が記憶されたＲＯＭ２０、各種プログラムを実行するＣＰＵ２２、ＣＰＵ２２による各種プログラムの実行時におけるワークエリア等として用いられるＲＡＭ２４、画像データや後述する色変換印刷処理ルーチンを実行するためのプログラムなどが記憶されたＨＤＤ２６、ネットワーク１６と接続するためのネットワークインタフェース３６、及びこれらを相互に接続するためのバス２８が設けられている。
【００４５】
また、プリンタ１２には、さらに、原稿を読みとって画像データを生成するスキャナ３０と、画像データに基づいて感光体に静電潜像を記録し、静電潜像をモノクロトナーまたはカラートナーを用いて現像し、現像した画像を記録用紙に転写して出力する印字部３２と、プリンタ１２の各種処理を指示するための操作ボタンや操作パネルからなる操作パネル部３４とが設けられており、これらもバス２８に接続されている。
【００４６】
なお、プリンタ１２は、従来公知のプリンタの一般的構成を備えていればよく、本実施の形態では、プリンタ１２の他の構成及び一般的処理の説明を省略する。
【００４７】
また、クライアントＰＣ１４は、従来公知のパーソナルコンピュータの一般的な構成を備えていればよく、クライアントＰＣ１４の構成及び一般的な処理の説明を省略する。
【００４８】
次に、画像処理システム１０で用いられるカラー画像データの色空間について説明する。まず、クライアントＰＣ１４では、ディスプレイに表示させるためのＲＧＢ色空間のカラー画像データが用いられ、プリンタ１２では、シアン（Ｃ）、マゼンタ（Ｍ）、イエロー（Ｙ）、及びブラック（Ｋ）の各々のトナーによって画像を出力するためのＣＭＹＫ色空間のカラー画像データが用いられる。また、プリンタ１２では、ＲＧＢ色空間のカラー画像データからＣＭＹＫ色空間のカラー画像データに色空間変換をするときに、デバイスに依存しない色空間、例えばＣＩＥ−Ｌ＊ａ＊ｂ＊色空間（以下、ＣＩＥＬＡＢ色空間と称する）も用いられる。
【００４９】
クライアントＰＣ１４では、デバイスの特性に応じ、扱うことができる色再現可能領域が制限され、また、プリンタ１２でも、同様に色材としてのトナーによって再現できる色再現可能領域が制限される。また、クライアントＰＣ１４において作成されたＲＧＢ色空間のカラー画像データは、プリンタ１２において、ＣＭＹＫ色空間のカラー画像データに変換されて、印刷されるようになる。このとき、クライアントＰＣ１４において作成されたカラー画像データは、デバイスに依存しないＣＩＥＬＡＢ色空間のカラー画像データに色空間変換されて、ＣＩＥＬＡＢ色空間において、色変換が行われ、その後、色変換されたカラー画像データをＣＭＹＫ色空間のカラー画像データに色空間変換されるようになっている。
【００５０】
ＣＩＥＬＡＢ色空間に色空間変換する場合、クライアントＰＣ１４において再現可能な色は、ＣＩＥＬＡＢ色空間においては、一部の色域の色にしか過ぎない。同様に、プリンタ１２において再現可能な色も、ＣＩＥＬＡＢ色空間の一部の色域である。両者の色域は、明度軸を中心に重なっているが、クライアントＰＣ１４では再現可能な色が、プリンタ１２では、再現できない場合があり、その場合には、プリンタ１２で再現可能な色に変換する必要がある。この処理をガマットマッピング処理（Gamut Mapping）と呼んでおり、各種の手法が知られている。このようなガマットマッピング処理を行う場合には、ＣＩＥＬＡＢ色空間において、クライアントＰＣ１４で色再現可能な領域とプリンタ１２で色再現可能な領域とを予め設定しておくと共に、クライアントＰＣ１４で色再現可能な領域内の色とプリンタ１２で色再現可能な領域内の色とを色変換するための対応関係を定義しておく。
【００５１】
次に、第１の実施の形態の作用を説明する。
【００５２】
まず、クライアントＰＣ１４において、ディスプレイに表示された画像をユーザが編集して、カラー画像データを生成し、そして、生成された画像データを印刷させる指示が与えられると、プリンタ１２に印刷指示が出力され、プリンタ１２において、図２に示す色変換印刷処理ルーチンが実行される。
【００５３】
まず、ステップ１００において、ＲＧＢ色空間で表されるカラー画像データが、クライアントＰＣ１４から入力されたか否かを判定し、ＲＧＢ色空間で表されるカラー画像データが入力されると、ステップ１００からステップ１０２へ進み、ＲＧＢ色空間で表されるカラー画像データをＣＩＥＬＡＢ色空間で表されるカラー画像データに変換するように色空間変換処理を行う。この色空間変換処理を行うために、ＲＧＢ色空間における種々の色の色要素からなる色値に対応するＣＩＥＬＡＢ色空間における色値を予め求めておく。このような色値と色値との集合を、例えばルックアップテーブル（ＬＵＴ）としてＨＤＤ２６に記憶しておく。なお、カラープロファイル（色変換係数）を用いて色空間変換を行うようにしてもよく、このカラープロファイルは、規格上決められた定義式や過去に入手したものでもよい。また、ニューラルネットワークを利用した方法や、線形回帰モデル、主成分分析を利用した方法などで係数を作成してもよく、あるいは、色パッチなどを直接出力し、計測器で測定してもよい。本実施の形態では、ＬＵＴに基づいて、色空間変換処理を行う場合について説明する。
【００５４】
そして、ステップ１０４において、トナーセーブモードが設定されているか否かを判定する。ユーザは、操作パネル部３４を操作して、トナーの消費量を抑えるモードであるトナーセーブモードを予め設定することができ、ここで、トナーセーブモードが設定されておらず、通常モードである場合には、ステップ１０６へ移行し、後述するプリンタ１２の色再現可能領域へ色変換するためのＬＵＴに基づいて、ＣＩＥＬＡＢ色空間において、カラー画像データを色変換して、ステップ１０２で色空間変換されたＣＩＥＬＡＢ色空間のカラー画像データを、プリンタ１２の色再現可能領域内で表されるカラー画像データに色変換する色変換処理を行って、ステップ１１６へ移行する。
【００５５】
この色変換処理では、従来既知のガマットマッピング処理の手法を用いることができ、例えば、共通領域は測色的一致となり、異なる領域を色変換するはりつけ型ガマットマッピングや相対的な関係を保存するため全領域を色変換する圧縮伸張型ガマットマッピングが用いられる。はりつけ型ガマットマッピングでは、明度保存のために、プリンタ１２の色再現可能領域外の色をプリンタ１２の色再現可能領域の境界に色相と明度を変化させずに投影する手法や、彩度保存のためにプリンタ１２の色再現可能領域外の色をプリンタ１２の色再現可能領域の境界に色相を変化させずに投影する手法がある。また、圧縮伸張型ガマットマッピングでは、階調を保存するように色変換を行う手法がある。また、その他、領域ごとに異なる圧縮手法を適用する適応型ガマットマッピングを用いることもでき、部分的に測色的一致、部分的に圧縮を行うというような、はりつけ型ガマットマッピングと圧縮伸張型ガマットマッピングとの両方を組み合わせた方法を用いてもよい。このように、従来既知のガマットマッピング処理の手法を用いることにより、クライアントＰＣ１４のディスプレイによる色再現の印象とプリンタ１２による色再現の印象とが大きく変化しないように画質の低下を抑制して、色変換を行うことができる。
【００５６】
ガマットマッピング処理において上記の種々の手法を用いるように、ＣＩＥＬＡＢ色空間におけるクライアントＰＣ１４の色再現可能領域内の色と、プリンタ１２の色再現可能領域内の色との対応関係が設定されたＬＵＴを予め作成して、ＣＩＥＬＡＢ色空間におけるクライアントＰＣ１４の色再現可能領域からプリンタ１２の色再現可能領域へ色変換するためのＬＵＴとしてＨＤＤ２６に記憶しておく。そして、この色再現可能領域へ色変換するためのＬＵＴを用いて、色変換処理が行われる。
【００５７】
一方、ステップ１０４において、トナーセーブモードが設定されていると判定された場合には、ステップ１０８において、印刷対象画像を選択する画面を表示し、ユーザに対して、印刷対象の画像が、グラフィック画像及び自然画のいずれかであるかを選択させ、ステップ１１０で、ユーザによって選択された印刷対象の画像がグラフィック画像であるか、又は自然画であるかを判定し、グラフィック画像が選択された場合には、ステップ１１２において、後述するグラフィック再現モード用のトナーセーブ色再現領域へ色変換するためのＬＵＴに基づいて、ＣＩＥＬＡＢ色空間のトナーセーブ色再現領域内で表されるカラー画像データに色変換する。
【００５８】
なお、グラフィック再現モード用のトナーセーブ色再現領域は後述する色域外郭生成方法によって作成された色域外郭に基づいて生成される。また、ガマットマッピング処理において既存の種々の手法を用いるように、ＣＩＥＬＡＢ色空間におけるクライアントＰＣ１４の色再現可能領域内の色と、グラフィック再現モード用のトナーセーブ色再現可能領域内の色との対応関係が設定されたＬＵＴを予め作成して、グラフィック再現モード用のトナーセーブ色再現可能領域へ色変換するためのＬＵＴとして、ＨＤＤ２６に記憶しておき、このＬＵＴに基づいて、色変換を行い、ＣＩＥＬＡＢ色空間におけるグラフィック再現モード用のトナーセーブ色再現領域内で表されるカラー画像データを生成する。
【００５９】
また、ステップ１１０において、ユーザによって印刷対象の画像として自然画が選択されたと判定された場合には、ステップ１１４において、自然画再現モード用のトナーセーブ色再現領域へ色変換するためのＬＵＴに基づいて、ＣＩＥＬＡＢ色空間のトナーセーブ色再現領域内で表されるカラー画像データに色変換する。
【００６０】
なお、自然画再現モード用のトナーセーブ色再現領域は、グラフィック画像の場合と同様に、後述する色域外郭生成方法によって作成された色域外郭に基づいて生成される。また、ガマットマッピング処理において既存の種々の手法を用いるように、ＣＩＥＬＡＢ色空間におけるクライアントＰＣ１４の色再現可能領域内の色と、自然画再現モード用のトナーセーブ色再現可能領域内の色との対応関係が設定されたＬＵＴを予め作成して、自然画再現モード用のトナーセーブ色再現可能領域へ色変換するためのＬＵＴとして、ＨＤＤ２６に記憶しておき、このＬＵＴに基づいて、色変換を行い、ＣＩＥＬＡＢ色空間における自然画再現モード用のトナーセーブ色再現領域内で表されるカラー画像データを生成する。
【００６１】
また、画像種別により色変換を変える方法としては、出力モードやプロファイルインテントにより色変換を変える方法があり、また、ラスタ画像かベクタ画像により画像オブジェクトを判別し、色変換を変えるようにしてもよい。
【００６２】
そして、ステップ１１６では、ステップ１０６、１１２、１１４の何れかで色変換されたＣＩＥＬＡＢ色空間のカラー画像データを、ＣＭＹＫ色空間で表されるカラー画像データに変換する色空間変換処理を行う。なお、上記のステップ１０２における色空間変換処理と同様に、ＣＩＥＬＡＢ色空間における色値について、ＣＭＹＫ色空間における種々の色の色要素からなる色値を求めておく。このような色値と色値との集合を、ルックアップテーブル（ＬＵＴ）としてＨＤＤ２６記憶しておき、このＬＵＴに基づいて、色空間変換処理を行う。
【００６３】
次のステップ１１８では、ステップ１１６で生成されたＣＭＹＫ色空間で表されるカラー画像データに基づいて、印字部３２によって印刷処理を実行し、各色のトナーによって記録用紙に画像を形成させて、色変換印刷処理ルーチンを終了する。
【００６４】
次に、トナーセーブ色再現領域の色域外郭を生成する色域外郭生成方法について説明する。
【００６５】
ガマットマッピング処理により所定の色再現領域内にカラー画像データが表す色を収める場合に、カラー画像データの色が再現可能であるのか否かを判定したり、再現できない場合に、どのような色に変換すれば再現可能な領域の範囲に収まるのかを調べておく必要がある。そのために、色再現領域の外郭（色域外郭）を求めておく必要があり、以下に述べる色域外郭生成方法によって色域外郭を生成する。
【００６６】
図３に示すように、各トナー量を制限するための色域外郭生成方法では、デバイス外郭生成部５０、色空間変換部５２、色域外郭生成部５４、及び制限値設定部５６によって実現される。
【００６７】
制限値設定部５６は、必要に応じて対象デバイスの色空間で任意の最大階調制限値又は最大階調制限値に関する最大階調値条件の指定を受け付ける。これにより、例えば各トナー色の最大階調制限値や最大階調条件に基づく最大階調制限値によって制限する制限条件を設定することができる。
【００６８】
デバイス外郭生成部５０は、制限値設定部５６で設定された各トナー色における最大階調制限値によって制限される制限条件を満たすプリンタ１２のＣＭＹＫ色空間での色域外郭を構成する外郭点群を生成する。このとき、外郭点群として抽出するＣＭＹＫ色空間での色域外郭上の点は任意である。例えば色域外郭を構成する頂点、及び、頂点を結ぶ各軸上の点を少なくとも抽出しておくとよい。
【００６９】
また、色空間変換部５２は、デバイス外郭生成部５０で生成したプリンタ１２のＣＭＹＫ色空間の外郭点群から、ＣＩＥＬＡＢ色空間の外郭点群に変換する。この変換には、プリンタ１２の再現色予測の順方向モデルを利用することができる。
【００７０】
また、色域外郭生成部５４は、色空間変換部５２で生成された外郭点群から、例えば利用に適した外郭点を選択的に抽出し、抽出した一部の外郭点群のみで連結した色域外郭情報を生成する。これによって、利用しやすい色域外郭の情報を得ることができる。なお、この色域外郭生成部５４を設けずに構成することも可能である。
【００７１】
そして、プリンタ１２のＣＭＹＫ色空間における色域外郭の点が図４に示すような面で表すことができる。上述のように色域外郭を構成する点は、所定の条件を満たす点であり、上述の条件を満たす点以外の点は、色域の内部の点である。
【００７２】
制限値設定部５６において、例えばブラックKの最大階調制限値Ｋａが指定されると、デバイス外郭生成部５０は上述のようにプリンタ１２のＣＭＹＫ色空間の外郭群を生成するが、このとき、下半でのブラックKの制限範囲を設定する。最大階調値の制限は図４（Ｂ）での頂点の構成を１００％からＫａ％へ変更することによって対応する。
【００７３】
次に、色空間変換部５２について説明する。色空間変換部５２において外郭点群からＣＩＥＬＡＢ色空間での外郭点群に色空間変換を行うために、上記のＲＧＢ色空間からＣＩＥＬＡＢ色空間に色空間変換する場合と同様に、ＣＭＹＫ色空間内の色とＣＩＥＬＡＢ色空間の色との対応関係を定めたＬＵＴを用意しておき、このＬＵＴに基づいて、色空間変換を行う。
【００７４】
また、色域外郭生成部５４は、ＣＩＥＬＡＢ色空間での外郭点群を頂点として連結し、面を構成してポリゴン化する。これによって、汎用の可視化ツールを利用してプリンタ１２の色域外郭を３次元的に可視化するなど、種々の用途に利用しやすくなる。また、外郭点群を連結した３次元情報を作成する際に、不必要な領域を除き、均等間隔に頂点を配置、もしくは詳細な色域を構成したい場合がある。このような場合には、色空間変換部５２で得られた外郭点群から選択して一部の外郭点から色域外郭を構成すればよい。
【００７５】
次に、トナーの総量を制限するための色域外郭生成方法について説明する。なお、上記の各トナー量を制限するための色域外郭生成方法と同様の部分については同一符号を付して説明を省略する。
【００７６】
図５に示すように、トナーの総量を制限するための色域外郭生成方法は、デバイス外郭生成部５０、色空間変換部５２、色域外郭生成部５４、制限値設定部５６、総量制限値設定部６２、及び総量制限デバイス外郭点生成部６０によって実現される。ここでは、先に外郭点群を生成してから、総量制限の条件に適合するように外郭点群を変更する場合を例に説明する。
【００７７】
総量制限値設定部６２は、プリンタ１２のＣＭＹＫ色空間での各色要素の総和を制限する総量制限値の指定を受け取り、総量制限デバイス外郭点生成部６０に渡す。総量制限デバイス外郭点生成部６０は総量制限値設定部６２で指定された総量制限値に従って、デバイス外郭生成部５０で生成された外郭点群を変更する。なお、色空間変換部５２は、総量制限デバイス外郭点生成部６０で変更された後のプリンタ１２のＣＭＹＫ色空間の外郭点群からＣＩＥＬＡＢ色空間での外郭点群に色空間変換することになる。
【００７８】
上述の構成についてさらに説明する。まず、総量制限値設定部６２においてトナーの総量制限値Ｇを指定する。すなわち、
Ｃ＋Ｍ＋Ｙ＋Ｋ≦Ｇ …（式１）
という条件を指定することになる。
【００７９】
デバイス外郭生成部５０で外郭点群を生成した後、生成された外郭点群に対して、総量制限デバイス外郭点生成部６０で総量制限値Ｇ以下になるようにプリンタ１２のＣＭＹＫ色空間における外郭点群を更新する。このとき、外郭点群の任意の外郭点が総量制限値Ｇの条件（式１）を満たすなら何もせず、満たさない場合には総量制限のための処理を行う。この総量制限のための処理としては、例えば、１色のトナー量を固定して、他のトナー量の構成比を一定にして、総量に合わせることにより実現することができる。すなわち、固定したトナー量をＩとし、デバイスの外郭点を（Ｉ，Ａ１，Ａ２，Ａ３）、総量規制を施したデバイス外郭点を（Ｉ，Ａ１’，Ａ２’，Ａ３’）とするとき、Ａ１’，Ａ２’，Ａ３’は
Ａ１’＝（Ａ１×（Ｇ−Ｉ））／（Ａ１＋Ａ２＋Ａ３）
Ａ２’＝（Ａ２×（Ｇ−Ｉ））／（Ａ１＋Ａ２＋Ａ３）
Ａ３’＝（Ａ３×（Ｇ−Ｉ））／（Ａ１＋Ａ２＋Ａ３） …（３）
により得られる。
【００８０】
このとき固定するトナーにより、次のような２つの規制方式がある。規制方式１は、Ｋを固定し、Ｃ：Ｍ：Ｙの比を固定して総量制限値Ｇに調整する。つまり、式３の固定量ＩをＫ量、Ａ１，Ａ２，Ａ３をそれぞれＣＭＹ量とする方法である。規制方式２は、ＣＭＹＫの中で最大値を示す量を１つ固定して、他の３色の比を固定して総量制限値Ｇに調整する方法である。例えば、最大量を示すトナーがＣならば、式３の固定量ＩをＣ量とし、Ａ１，Ａ２，Ａ３をそれぞれＫＭＹ量とすればよい。
【００８１】
このようにして、総量制限を満たす外郭点群を得ることができる。なお、上述のような総量制限によって、それぞれの外郭点が表す色は、視覚的には異なるが、プリンタ１２のＣＭＹＫ色空間における総量制限を満たす色域外郭上の点であることには変わりはない。
【００８２】
上述した色域外郭生成方法により、色域外郭を生成して、生成された色域外郭に基づいて、色再現領域を定めることができる。ここで、グラフィック再現モード及び自然画再現モードにおけるトナーセーブ色再現領域は、以下のようにして求められる。
【００８３】
本実施の形態では、印刷対象となる画像の種別（グラフィック画像及び自然画）に応じて、出力色再現への影響が少ないトナー量を制限した色域外郭を生成する。再現色への影響は、その画像によっても異なるため、グラフィック画像及び自然画の何れを色再現するのかによって、最大階調制限値や総量制限値による制限条件が設定される。なお、最大階調制限値を小さく設定して最大階調制限した場合には、飽和色からシャドー色域にかけて小さくなり、一方、総量制限値を小さく設定して総量制限した場合には、シャドー色域のみ小さくなる。
【００８４】
自然画の場合、飽和色の再現はそれほど重要ではなく、中間色やシャドー色の再現とコントラスト感が画像の印象に大きく影響し、階調の飽和色を制限しても画質へのインパクトは小さいため、最大階調制限値を小さく設定して最大階調制限する。また、シャドー域の色域縮小を抑えるために、総量制限値を大きく設定して総量制限を緩和する。
【００８５】
また、グラフィック画像の場合、逆に飽和色の再現が重要で画像の印象に大きく影響し、シャドー域の色は、黒以外はあまり画質の印象に影響せず、総量を制限しても画質へのインパクトは小さいため、総量制限値を小さく設定して総量制限する。
【００８６】
従って、自然画の場合には、上記で説明した各トナー量を制限するための色域外郭生成方法において、最大階調制限を行うように最大階調制限値を小さくした制限条件を設定して、色域外郭を生成する。これにより、図６（A）に示すような色域が生成され、飽和色からシャドー色域にかけて色域が狭小化され、飽和色を制限し、中低彩度域色、無彩色を制限しないで、再現するように設定される。
【００８７】
また、グラフィック画像の場合には、上記で説明したトナーの総量を制限するための色域外郭生成方法において、トナーの総量を制限するように総量制限値を小さくした制限条件を設定して、色域外郭を生成する。これにより、図６（B）に示すような色域が生成され、シャドー色域のみが狭小化され、飽和色が維持されるように設定される。
【００８８】
なお、図６では、実線がＣＩＥＬＡＢ色空間におけるトナーセーブ色再現領域を示しており、破線が、プリンタ１２の色再現可能領域を示している。また、色域の断面を示しており、明度軸（Ｌ＊）を通る平面で、プリンタ１２の色再現可能領域を切断した断面であり、この断面における座標系は、縦軸が明度を示すＬ＊、横軸が彩度を示すＣ＊である。
【００８９】
このように、生成された色域外郭で生成されるトナーセーブ色再現領域を用いて、ＣＩＥＬＡＢ色空間において色変換処理がなされ、色変換されたカラー画像データをＣＭＹＫ色空間で表されるカラー画像データに色空間変換し、印刷することにより、グラフィックス画像では、飽和色が正しく再現され、シャドー域の色が制限されて色再現され、入力されたカラー画像データの画質へのインパクトを抑えて、印刷される。また、自然画では、階調の飽和色が制限されて再現され、シャドー色の制限が緩和されて色再現され、入力されたカラー画像データの画質へのインパクトを抑えて、印刷される。
【００９０】
以上説明したように、第１の実施の形態に係る画像処理システムによれば、ＣＩＥＬＡＢ色空間で表されたカラー画像データを、トナーの消費量が抑制されるように狭小化したトナーセーブ色再現領域内で表わされるように色変換した後、ＣＭＹＫ色空間に色空間変換して、印刷するため、トナーの消費量を抑えることができる。
【００９１】
また、装置に依存しないＣＩＥＬＡＢ色空間において、トナーセーブ色再現領域への色変換をガマットマッピング処理によって行うことにより、従来既知のガマットマッピング処理の各種手法を用いて、画質の低下を抑制することができる。また、画質の低下を抑制しているため、トナーセーブモードにしても、通常の使用に耐えることができ、通常の使用においてトナーの消費量を抑えることができる。
【００９２】
また、トナーの消費量の抑制の仕方と、その抑制による画像再現へのインパクト に基づき、画像種別に応じてトナー消費量の抑制の仕方を切り替えることができ、自然画再現では、飽和色の彩度低下はインパクトが小さく、中低彩度域色、無彩色を制限せずに再現すれば良く、グラフィックス画像では、飽和色再現と連続性が重要であり、飽和色を維持する必要があるため、このような出力画像の特性に応じて、制限に仕方を変えて、画質へのインパクトを抑えたままトナー消費量を削減することができる。
【００９３】
なお、上記の実施の形態では、ＬＵＴによってＣＩＥＬＡＢ色空間における色変換を行う場合を例に説明したが、これに限定されるものではなく、色変換を行うための式によって、変換後の色値を算出するようにしてもよい。
【００９４】
また、プリンタにおいて、ＲＧＢ色空間からＣＩＥＬＡＢ色空間への色空間変換処理、ＣＩＥＬＡＢ色空間における色変換処理、及びＣＩＥＬＡＢ色空間からＣＭＹＫ色空間への色空間変換処理を行う場合を例に説明したが、クライアントＰＣにおいて、ＲＧＢ色空間からＣＩＥＬＡＢ色空間への色空間変換処理及びＣＩＥＬＡＢ色空間における色変換処理を行ってもよく、また、クライアントＰＣとプリンタとの間に設けた中間装置において、これらの色空間処理及び色変換処理を行うようにしてもよい。
【００９５】
また、トナーセーブ色再現領域の色域外郭を生成する際に、最大階調制限値及び総量制限値のいずれか一方による制限条件を設定する場合を例に説明したが、両方の制限値を組み合わせた制限条件に基づいて、色域外郭を生成するようにしてもよい。
【００９６】
また、クライアントＰＣ１４からＲＧＢ色空間で表されるカラー画像データが入力される場合を例に説明したが、スキャナによって読み込まれたＲＧＢ色空間で表されるカラー画像データに対して、上述した色空間変換処理及び色変換処理を行うようにしてもよい。
【００９７】
また、デバイスに依存しない色空間として、ＣＩＥＬＡＢ色空間を用いる場合を例に説明したが、これに限定されるものではなく、デバイスに依存しない他の色空間を用いてもよい。
【００９８】
次に第２の実施の形態について説明する。なお、第２の実施の形態に係る画像処理システムの構成は、第１の実施の形態と同一構成であるので、同一符号を付して、構成に関する説明を省略する。
【００９９】
第２の実施の形態では、トナーセーブ色再現領域を生成するための制限条件が、トナーの各色要素の値の組み合わせに応じて設定されている点が第１の実施の形態と異なっている。
【０１００】
第２の実施の形態に係る色域外郭生成方法では、ＣＭＹＫの各色要素の値の組合せにより、最大階調制限値による規制を緩和し、又は強化した制限条件を設定し、ＣＭＹＫの各色要素の値の組合せに応じた最適な色域外郭を生成する。
【０１０１】
例えば、Ｍ単色時は８０％で制限するが、ＭＫの組み合わせの場合は、シャドー部の萎みを緩和するために、Ｍを１００％まで許すように制限条件を緩和する。これにより、シャドー域の萎みを防止し、例えば、自然画を再現する場合などに与えるインパクトを低減することができる。
【０１０２】
例えば、図６（Ｃ）に示すように、色領域(色要素の値の組合せ)により、制限条件の最大階調制限値を大きくしてシャドー域の最大階調制限を緩和し、一方、最大階調制限値を小さくして、Ｃｕｓｐ色（最大彩度色）に対して最大階調制限する。これにより、シャドー域ではトナー量の制限を緩和することで、シャドー域の萎みを抑制し、自然画再現へのインパクトを低減する。
【０１０３】
また、例えば、ＣＭＹＫの総和が１００以下ではＭの最大階調制限値は８０で、総和が１００から２００までの間は総和値に応じてＭの制限値は８０から１００へ変更し、総和が２００以上についてはＭの最大階調制限値を１００とする。このように、ＣＭＹＫの色要素の値の組み合わせに応じて、最大階調制限値を設定することができる。
【０１０４】
以上説明したように、第２の実施の形態に係る画像処理システムによれば、トナーの各色要素の値の組み合わせ毎に適した最大階調制限値を指定することにより、画像再現へのインパクトを低減して、トナーの消費量を抑制することができる。
【０１０５】
なお、第１の実施の形態で説明したような一様な最大階調制限や総量制限と、本実施の形態における色要素の値の組み合わせに応じた最大階調制限とを組み合わせることができ、この場合には、例えば、一様な最大階調制限や総量制限による色域外郭点群を生成した後に、色要素の値の組み合わせに応じた最大階調制限に基づいて、色域外郭点群を変更して、色域外郭を生成するようにすればよい。このように、単純な最大階調制限や、総量制限では実現できないような、制限の組み合わせを行うことができる。
【０１０６】
次に第３の実施の形態について説明する。なお、第１の実施の形態と同様の構成となっている部分については、同一符号を付して、説明を省略する。
【０１０７】
第３の実施の形態では、トナーセーブ色再現領域を生成するための制限条件が、ＣＭＹＫ色空間の特定色の領域に応じて設定されている点が第１の実施の形態と異なっている。
【０１０８】
第３の実施の形態に係る色域外郭生成方法では、ＣＭＹＫ色空間の特定色の領域に対して、最大階調制限値による制限を緩和し、又は強化した制限条件を設定し、最適な色域外郭を生成する。
【０１０９】
例えば、画質への影響が強い赤色（ＭとＹ）の領域に対しては、最大階調制限値を大きくして制限を緩和する。このように、特定色の領域の萎みを防止し、画質へのインパクトを低減することができる。
【０１１０】
また、例えば、Ｙが９０以上の領域については、Ｍの最大階調制限値を１００とし、Ｙが７０〜９０の領域については、Ｍの階調制限値はＹの値に応じて１００〜８０に変化させ、Ｍが90以上の領域については、Ｙの最大階調制限値を１００とする。また、Ｍが７０〜９０の領域については、Ｙの最大階調制限値をＭの値に応じて１００〜８０に変化させる。それ以外の領域については、ＭとＹの最大階調制限値を８０とし、ＣとＫとは常に最大階調制限値を８０と規程することができる。
【０１１１】
また、第２の実施の形態と同様に、一様な最大階調制限や総量制限、色の組み合わせに応じた最大階調制限と、本実施の形態の特定色に対する最大階調制限とを組み合わせた制限によって色域外郭を生成し、トナーセーブ色再現領域を生成するようにしてもよい。
【０１１２】
また、上記では、ＣＭＹＫ色空間で制限領域を規程する場合を例に説明したが、ＣＩＥＬＡＢ色空間で制限領域を規程するようにしてもよい。例えば、ＣＩＥＬＡＢ色空間において、色相角が３０度から４０度までの領域は、最大階調制限値を１００とし、２０度から３０度まで、４０度から５０度までの領域については、最大階調制限値を色相角に応じて１００〜８０に変化させ、それ以外の色相角の領域では、最大階調制限値を８０とするように規程してもよい。
【０１１３】
次に第４の実施の形態について説明する。なお、第１の実施の形態と同様の構成となっている部分については、同一符号を付して説明を省略する。
【０１１４】
第４の実施の形態では、ＣＭＹＫ色空間の通常の色域外郭を、幾何学的に狭小化させて、トナーセーブ色再現領域を生成するようになっている点が第１の実施の形態と異なっている。
【０１１５】
図７に示すように、第４の実施の形態に係る色域外郭生成方法は、デバイス外郭生成部１５０、色域外郭生成部５４、狭小化方法設定部１５６によって実現される。
【０１１６】
デバイス外郭生成部１５０では、狭小化方法設定部１５６で設定された狭小化方法により、ＣＩＥＬＡＢ色空間での通常の色域外郭を、幾何学的に狭小化させて、狭小化された色域外郭を構成する外郭点群を生成する。
【０１１７】
また、狭小化方法設定部１５６では、通常の色域外郭を狭小化させる方法の指定を受け付ける。受け付ける狭小化方法としては、例えば、図８（Ａ）に示すように、ＣＩＥＬＡＢ色空間での通常の色域外郭位置を低彩度方向へ移動させて狭小化させる方法や、ＣＩＥＬＡＢ色空間での通常の色域外郭位置を特定点（白色点）に向けて移動させて狭小化させる方法がある。また、特定点に向けて移動させて狭小化させる方法では、色相に応じて特定点を設定できるようにしてもよい。
【０１１８】
また、狭小化方法設定部１５６における狭小化方法として、図８（Ｂ）に示すように、ＣＩＥＬＡＢ色空間での通常の色域の各色相の最大彩度点を、最大彩度点より明度が高い点であって、かつ、通常の色域内側の点へ向けて移動させて、通常の色域を狭小化させる方法や、図９（Ａ）に示すように、ＣＩＥＬＡＢ色空間での通常の色域の各色相の白から特定点までの領域及び各色相の黒から特定点までの領域を変更しないで、通常の色域の特定点より彩度の高い領域を低彩度方向へ移動させて、通常の色域を狭小化させる方法がある。また、図９（Ｂ）に示すように、ＣＩＥＬＡＢ色空間での通常の色域の各色相の白から特定点までの領域のみを変更しないで、黒側の領域は可変とし、通常の色域の特定点より彩度の高い領域を低彩度方向へ移動させて、通常の色域を狭小化させてもよい。
【０１１９】
また、図１０に示すように、ＣＩＥＬＡＢ色空間での通常の色域と、通常の色域を高明度方向にシフトさせた領域である狭小化用領域との共通領域を、狭小化させた領域とする方法もある。なお、狭小化用領域は、通常の色域を低彩度方向にシフトさせたものでもよく、また、通常の色域を高明度方向かつ低彩度方向にシフトさせたものでもよい。
【０１２０】
そして、色域外郭生成部５４では、デバイス外郭生成部１５０で生成された外郭点群から、色域外郭情報を生成する。
【０１２１】
上記の最大彩度点をそれより明度の高い色域内側に移動させて狭小化させる方法では、低彩度方向へ移動させることにより色味を落としてトナーの消費量を削減させるが、このとき明度を元より高い方へ移動させると、場合によっては移動した最大彩度点が色域外へ飛び出す可能性があるため、色域内側に最大彩度点を移動させる必要がある。また、単に低彩度方向だけに移動させた場合、以下の理由によりトナーの消費量は逆に増えてしまう場合があるため、より高い明度に最大彩度点を移動させる必要がある。
【０１２２】
最大彩度点は１次色か２次色であり、３番目のトナー量は必ず０になっており、この色を等明度のまま彩度だけを低下させた場合、元の色を構成しているトナー量は減少するが、濁らせるためにそれまで０だった３番目のトナーを入れていくことになり、条件によってはこれらの差し引きで総量が増えてしまう場合があるため、より高い明度に最大彩度点を移動させる必要がある。例えば、Ｃ＝１００を等明度で彩度を下げようとすると、Ｃの値は減少するが、ＭとＹとが増えるため、総量としては逆に１００より大きくなる場合があるからである。また、１００％ＵＣＲのようにＫを使って濁らせればトナーの消費量は減少するが、高彩度域には墨を入れない場合が多く、その場合は総量が増えてしまう傾向が強くなるため、これを回避し、トナーの消費量を確実に減少させるために、彩度方向だけでなく、明度も少し高めに最大彩度点を移動させることで、トナーの総量を確実に減少させることができる。
【０１２３】
また、上記の特定点より彩度の高い領域を低彩度方向へ移動させて狭小化させる方法において、狭小化させた領域を白又は黒から特定点途中まで外郭に沿わせているのは、沿わせた外郭の領域の色再現は、画質への影響が大きいため、領域を狭小化させない方がよいからである。また、上記の最大彩度点を移動させる場合と同様で、上側外郭上の色は１次色か２次色で必ず１色は０になっており、上側を狭小させるということは、上記と同様に濁らせることになり、結果的にトナーの総量が増加する場合があるため、特定点途中まで外郭に沿わせて、領域を狭小化しない方が好ましい。
【０１２４】
次に、第５の実施の形態について説明する。なお、第１の実施の形態と同様の構成となっている部分については、同一符号を付して説明を省略する。
【０１２５】
第５の実施の形態では、入力されるＲＧＢ色空間のカラー画像データを、ＣＩＥＬＡＢ色空間に色空間変換せずに、直接、ＣＭＹＫ色空間のカラー画像データに変換する点が第１の実施の形態と異なっている。
【０１２６】
第５の実施の形態に係るプリンタのＨＤＤには、第１の実施の形態の色変換処理ルーチンのように、ＲＧＢ色空間からＣＩＥＬＡＢ色空間に色空間変換し、クライアントＰＣ１４の色再現可能領域内の色からプリンタの色再現可能領域内の色へ色変換した後に、ＣＩＥＬＡＢ色空間からＣＭＹＫ色空間へ色空間変換した場合における、ＲＧＢ色空間の色値とＣＭＹＫ色空間の色値との対応関係を定めたＬＵＴが、ＣＭＹＫ色空間の色再現可能領域へ色変換及び色空間変換するためのＬＵＴとして予め記憶されている。
【０１２７】
また、第１の実施の形態の色変換処理ルーチンのように、ＲＧＢ色空間からＣＩＥＬＡＢ色空間に色空間変換し、クライアントＰＣ１４の色再現可能領域内の色からグラフィック再現モード用のトナーセーブ色再現領域内の色へ色変換した後に、ＣＩＥＬＡＢ色空間からＣＭＹＫ色空間へ色空間変換した場合における、ＲＧＢ色空間の色値とＣＭＹＫ色空間の色値との対応関係を定めたＬＵＴが、グラフィック再現モード用のＣＭＹＫ色空間のトナーセーブ色再現領域へ色変換及び色空間変換するためのＬＵＴとして予め記憶されている。
【０１２８】
また、ＲＧＢ色空間からＣＩＥＬＡＢ色空間に色空間変換し、クライアントＰＣ１４の色再現可能領域内の色から自然画再現モード用のトナーセーブ色再現領域内の色へ色変換した後に、ＣＩＥＬＡＢ色空間からＣＭＹＫ色空間へ色空間変換した場合における、ＲＧＢ色空間の色値とＣＭＹＫ色空間の色値との対応関係を定めたＬＵＴが、自然画再現モード用のＣＭＹＫ色空間のトナーセーブ色再現領域へ色変換及び色空間変換するためのＬＵＴとして予め記憶されている。
【０１２９】
次に、第５の実施の形態に係る色変換処理ルーチンについて図１１を用いて説明する。なお、第１の実施の形態と同様の処理については同一符号を付して詳細な説明を省略する。
【０１３０】
まず、ステップ１００において、ＲＧＢ色空間で表されるカラー画像データが、クライアントＰＣ１４から入力されたか否かを判定し、ＲＧＢ色空間で表されるカラー画像データが入力されると、ステップ１００からステップ１０４へ進み、トナーセーブモードが設定されているか否かを判定する。通常モードである場合には、ステップ２００へ移行し、ＣＭＹＫ色空間の色再現可能領域へ色変換及び色空間変換するためのＬＵＴに基づいて、ステップ１００で入力されたＲＧＢ色空間のカラー画像データを、ＣＭＹＫ色空間の色再現可能領域内で表されるカラー画像データに変換する変換処理を行って、ステップ１１８へ移行する。
【０１３１】
一方、ステップ１０４において、トナーセーブモードが設定されていると判定された場合には、ステップ１０８において、印刷対象画像を選択する画面を表示し、ステップ１１０で、ユーザによって選択された印刷対象の画像がグラフィック画像であるか、又は自然画であるかを判定し、グラフィック画像が選択された場合には、ステップ２０２において、グラフィック再現モード用のＣＭＹＫ色空間のトナーセーブ色再現領域へ色変換及び色空間変換するためのＬＵＴに基づいて、ステップ１００で入力されたＲＧＢ色空間のカラー画像データを、グラフィック再現モード用のＣＭＹＫ色空間のトナーセーブ色再現領域内で表されるカラー画像データに変換する。
【０１３２】
また、ステップ１１０において、ユーザによって印刷対象の画像として自然画が選択されたと判定された場合には、ステップ２０４において、自然画再現モード用のＣＭＹＫ色空間のトナーセーブ色再現領域へ色変換及び色空間変換するためのＬＵＴに基づいて、ステップ１００で入力されたＲＧＢ色空間のカラー画像データを、自然画再現モード用のＣＭＹＫ色空間のトナーセーブ色再現領域内で表されるカラー画像データに変換する。
【０１３３】
次のステップ１１８では、ステップ２００、２０２、２０４で変換されたＣＭＹＫ色空間で表されるカラー画像データに基づいて、印刷処理を実行し、色変換印刷処理ルーチンを終了する。
【図面の簡単な説明】
【０１３４】
【図１】本発明の第１の実施の形態に係る画像処理システムの構成を示す概略図である。
【図２】本発明の第１の実施の形態に係るプリンタの色変換印刷処理ルーチンの内容を示すフローチャートである。
【図３】本発明の第１の実施の形態に係る各トナー量を制限するための色域外郭生成方法の様子を示すブロック図である。
【図４】ＣＭＹＫ色空間の色域外郭の一例の説明図である。
【図５】本発明の第１の実施の形態に係るトナー量を総量を制限するための色域外郭生成方法の様子を示すブロック図である。
【図６】ＣＩＥＬＡＢ色空間におけるトナーセーブ色再現領域とプリンタの色再現可能領域との関係を示すための説明図である。
【図７】本発明の第４の実施の形態に係る色域外郭生成方法の様子を示すブロック図である。
【図８】ＣＩＥＬＡＢ色空間における通常の色域外郭と狭小化された色域外郭との関係の例を示すための説明図である。
【図９】ＣＩＥＬＡＢ色空間における通常の色域外郭と狭小化された色域外郭との関係の他の例を示すための説明図である。
【図１０】ＣＩＥＬＡＢ色空間における通常の色域外郭と狭小化された色域外郭との関係の他の例を示すための説明図である。
【図１１】本発明の第５の実施の形態に係るプリンタの色変換印刷処理ルーチンの内容を示すフローチャートである。
【符号の説明】
【０１３５】
１０  画像処理システム
１２  プリンタ
１４  クライアントＰＣ
２０  ＲＯＭ
２２  ＣＰＵ
２４  ＲＡＭ
２６  ＨＤＤ
３０  スキャナ
３２  印字部
５０、１５０  デバイス外郭生成部
５２  色空間変換部
５４  色域外郭生成部
５６  制限値設定部
６０  総量制限デバイス外郭点生成部
６２  総量制限値設定部
【図１】
0004656002.tif 000002
【図２】
0004656002.tif 000003
【図３】
0004656002.tif 000004
【図４】
0004656002.tif 000005
【図５】
0004656002.tif 000006
【図６】
0004656002.tif 000007
【図７】
0004656002.tif 000008
【図８】
0004656002.tif 000009
【図９】
0004656002.tif 000010
【図１０】
0004656002.tif 000011
【図１１】
0004656002.tif 000012